(57)【要約】【課題】装飾性の高いデザインを確保することができるとともに、固定ネジ７が外部に露出することがなく、しかも施工性にも優れる。【解決手段】立設された支柱１の一側とその反対側にそれぞれ第１の格子２と第２の格子３とを配設したフェンスにおいて、上記支柱１の一側から反対側に向けて挿通した固定ネジ７の軸先側に第１の取付部品５を配置し、上記固定ネジ７の頭部側に第２の取付部品６を配置し、上記第１の格子２と第２の格子３のそれぞれの表面には装飾部を、裏面にはその長手方向に沿ってアリ溝４を形成し、上記第１の取付部品５は回転して上記第１の格子２のアリ溝４に係合し、上記第２の取付部品６はスライドして上記第２の格子３のアリ溝４に係合した。【選択図】図５
2010196414.tif 000002
【特許請求の範囲】
【請求項１】
立設された支柱の一側とその反対側にそれぞれ第１の格子と第２の格子とを配設したフェンスにおいて、上記支柱の一側から反対側に向けて挿通した固定ネジの軸先側に第１の取付部品を配置し、上記固定ネジの頭部側に第２の取付部品を配置し、
上記第１の格子と第２の格子のそれぞれの表面には装飾部を、裏面にはその長手方向に沿ってアリ溝を形成し、
上記第１の取付部品は回転して上記第１の格子のアリ溝に係合し、上記第２の取付部品はスライドして上記第２の格子のアリ溝に係合したことを特徴とするフェンス。
【請求項２】
上記第１の取付部品は上記固定ネジと螺合するネジ穴を備え、上記第２の取付部品は、中央部に固定ネジに挿通する挿通孔を備えるとともに、外周に鍔部を備えたハット状に形成したことを特徴とする、請求項１に記載のフェンス。
【請求項３】
上記鍔部の直径は上記第２の格子の溝部の高さと略同じに形成されたことを特徴とする、請求項１又は２に記載のフェンス。
【発明の詳細な説明】
【技術分野】
【０００１】
本発明は、特に間隔をおいて立設された支柱の表裏に格子を取り付けたフェンスに関する。
【背景技術】
【０００２】
一般に、間隔をおいて立設された支柱の表裏に格子を取り付けたフェンスとして、所定の間隔に配された支柱間にパネルを取り付けた間柱式フェンスと、自由な間隔に配された支柱の一側面に格子を交差するように取り付ける自在柱式フェンスが知られている。
【０００３】
間柱式フェンスは表裏のデザインを同じにすることができるので、外観はよいが、その反面、柱間の間隔を一定にしなければならないという不自由がある。これに対し、自在柱式フェンスは柱間の間隔は自由に設定できるが、その反面、装飾のない裏面は裏側に露出するので、外観に劣るという問題がある。
【０００４】
また、外観の問題として、格子を支柱に固定する際の取付金具が外部に露出すると、美観が損なわれるという点が挙げられる。例えば、特許文献１は支柱の前面から横木を釘で固定している。さらに、特許文献２に示す囲み体は、支柱の側面の係止溝と囲い部材とを取付金具で固定している。また、特許文献３に示された防護柵は、横桟を固定するブラケットを２分割し、一方のブラケットを支柱にボルト固定し、他方のブラケットで横桟を挟みこむように固定している。
【０００５】
このため、特許文献１及び特許文献２に示されたものは、固定ボルトが外部に露出するので、外観体裁がよくない。これに対し、特許文献３に示されたものは、固定ボルトは直接には見えにくいので外観はよいが、構造が複雑で固定ボルトの取り付けが面倒である。
【先行技術文献】
【特許文献】
【０００６】
【特許文献１】特開２００１−２１４６４０
【特許文献２】実用新案登録第３００９３９１
【特許文献３】特開平０８−２６０４３６
【発明の概要】
【発明が解決しようとする課題】
【０００７】
本発明は上記問題点を解消し、自在柱方式を採用しながらも互いに反対側に装飾性の高いデザインを確保することができるとともに、固定ネジが外部に露出することがなく、しかも施工性にも優れるフェンスを提供することをその課題とする。
【課題を解決するための手段】
【０００８】
上記課題を解決するため、請求項１に係る発明は、立設された支柱の一側とその反対側にそれぞれ第１の格子と第２の格子とを配設したフェンスにおいて、上記支柱の一側から反対側に向けて挿通した固定ネジの軸先側に第１の取付部品を配置し、上記固定ネジの頭部側に第２の取付部品を配置し、上記第１の格子と第２の格子のそれぞれの表面には装飾部を、裏面にはその長手方向に沿ってアリ溝を形成し、上記第１の取付部品は回転して上記第１の格子のアリ溝に係合し、上記第２の取付部品はスライドして上記第２の格子のアリ溝に係合したことを特徴とする。
【０００９】
請求項２に係る発明は、請求項１において、上記第１の取付部品は上記固定ネジと螺合するネジ穴を備え、上記第２の取付部品は、中央部に固定ネジに挿通する挿通孔を備えるとともに、外周に鍔部を備えたハット状に形成したことを特徴とする。
【００１０】
請求項３に係る発明は、請求項１又は２において、上記鍔部の直径は上記第２の格子の溝部の高さと略同じに形成されたことを特徴とする。
【発明の効果】
【００１１】
請求項１に係る発明によれば、第１の取付部品は回転して第１の格子のアリ溝に係合し、第２の取付部品はスライドして上第２の格子のアリ溝に係合した構成であるから、第１の格子はそのアリ溝に第１の取付部品に引っ掛けて仮止めした後に第１の取付部品を回転させてアリ溝に係合させればよい。また、第２の格子はアリ溝の一端から第２の取付部品を取り込んで係合させ、そのままスライドさせればよい。したがって、施工現場での施工性が向上する。
【００１２】
また、支柱と第１の格子及び第２の格子の取付位置は限定されないので、自在柱方式を採用することができる。しかもフェンスの両側には２つの格子の各装飾部が現れるので、互いに反対の側に装飾性の高いデザインを確保することができるから外観がよい。
【００１３】
また、固定ネジの軸先側の第１の取付部品と頭部側の第２の取付部品はいずれも第１の格子と第２の格子の裏側のアリ溝に係合しているので、外部には露出しない。したがって、フェンスの外観が損なわれることがない。
【００１４】
さらに、上記第１の取付部品も第２の取付部品も簡単な構造であるから、コストも低く抑えることができる。
【００１５】
請求項２に係る発明によれば、第１の取付部品は上記固定ネジと螺合するネジ穴を備えているから、第１の取付部品は第１の格子のアリ溝に係合した後、固定ネジを回転させると第１の取付部品が固定ネジとともに回転してアリ溝に係合するので、第１の格子の取付作業を簡単且つ迅速に行うことができる。また、第２の取付部品には鍔部が形成されているから、第２の格子はアリ溝の一端から第２の取付部品の鍔部を取り込んで係合させ、そのままスライドさせればよい。したがって、施工現場での施工性が向上する。
【００１６】
請求項３に係る発明によれば、ハット部の鍔部の直径は第２の格子の溝部の高さと略同じに形成されているから、第２の格子は第２の取付部品にガタつきなく取り付けることができる。
【図面の簡単な説明】
【００１７】
【図１】本発明に係るフェンスの正面図
【図２】図１のＸ−Ｘ線上の拡大断面図
【図３】（ａ）は第１の取付部品を固定ネジとともに示す斜視図、（ｂ）は第２の取付部品の斜視図
【図４】第１の取付部品と板バネと固定ネジの分解斜視図
【図５】（ａ）（ｂ）は第１及び第２の格子の取付態様説明図
【図６】第１の格子と第２の格子の連結態様説明図
【図７】第１の格子と第２の格子の他の形態を示すフェンスの側面図
【図８】フェンスの他の形態の正面図
【図９】上記フェンスにおける第１及び第２の格子の取付状態説明図
【図１０】格子と第２の釘押しとの連結状態を示す平面図
【発明を実施するための形態】
【００１８】
図１は本発明に係るフェンスの正面図、図２は図１のＸ−Ｘ線上の拡大断面図を示す。このフェンスは設置面上に立設された複数の支柱１の一側とその反対側の両面に第１の格子２と第２の格子３とを配設したもので、第１の格子２と第２の格子３は横格子で、同じ断面形状で同じ大きさに形成されている。すなわち、どちらも断面が略弓形形状で、円弧状に湾曲した表面ａには装飾部を、板状の裏面ｂの中央にはその長手方向に沿ってアリ溝４が形成されている。したがって、アリ溝４は開口部よりも内側が幅広に形成されている。
【００１９】
第１の格子２と第２の格子３は、上記支柱１の互いに反対側の同じ高さ位置に配置された第１の取付部品５と第２の取付部品６とによって固定されている。第１の取付部品５と第２の取付部品６は、それぞれ上記支柱１の一側からその反対側に向けて挿通された固定ネジ７に配置されている。
【００２０】
すなわち、第１の取付部品５は固定ネジ７の軸先７ａ側に配置され、第２の取付部品６は固定ネジ７の頭部７ｂ側に配置されている。
【００２１】
図３（ａ）（ｂ）及び図４に示されるように、第１の取付部品５は金属材から略平行四辺形状に形成され、中央部には固定ネジ７に螺合可能なネジ穴８が形成されている。第１の取付部品５の幅は第１の格子２のアリ溝４の開口幅よりも小さく形成され、また第１の取付部品５の長さはアリ溝４の開口幅よりも大きく、アリ溝４の内側の幅よりも長くなるように形成されている。
【００２２】
第１の取付部品５のネジ穴８にはバーリング加工した部分にネジ溝が形成され、ネジ穴８の背面側には環状凸部１０が突出形成されている。そして、環状凸部１０には板バネ１１が取り付けられている。板バネ１１は中央部１１ａとその両側片１１ｂとから構成され、中央部１１ａには穴１２が形成され、両側片１１ｂは中央部１１ａに対して鋭角に屈曲形成されている。両側片１１ｂの先端には円弧状の凹欠部１３が形成されている。両側部が折り畳まれて重なり合ったとき、両凹欠部１３の内側には円形が形成されるようになっている。そして、板バネ１１の中央部の穴１２は第１の取付部品５の環状凸部１０に回動自在に嵌合している。環状凸部１０の表面の一部は潰されて外方に広がり、板バネ１１の抜け止めとなっている。
【００２３】
第２の取付部品６は図３（ｂ）に示されるように、固定ネジ７の頭部側に配置され、円板状の中央部１４に固定ネジ７に挿通する挿通孔１５を備えるとともに、中央部１４の外周に段部１６を介してドーナツ状の鍔部１７を備えたハット状又は灰皿状に形成されている。鍔部１７は中央部１４に対して段違いになるように形成されている。鍔部１７の直径は第２の格子３のアリ溝４の内側の高さと略同じに形成されている。
【００２４】
次に、上記第１の取付部品５と第２の取付部品６を用いて上記支柱１の互いに反対側の面に上記第１の格子２と第２の格子３を組み付ける場合の組付け方法について説明する。
【００２５】
まず、図５（ａ）に示されるように、設置面に複数の支柱１が立設され、これらの支柱１の所定位置に一方の側から他方の側に形成された貫通孔に固定ネジ７を貫通させる。このとき、固定ネジ７を第２の取付部品６の挿通孔１５に挿通し、固定ネジ７の頭部7ａ側に第２の取付部品６を配置してから固定ネジ７を貫通させる。そして、背面から突出した固定ネジ７の先端側に板バネ１１付きの第１の取付部品５を螺合させる。このとき、第１の取付部品５をほぼ水平状態にしておく。板バネ１１の両側片１１ｂの先端は支柱１の表面に当たるため、そのバネ力により、固定ネジ７は常に支柱１の背面側から突出するように付勢されて保持される。
【００２６】
次に、第１の格子２を水平状態にして支柱１に押し付けるようにして、そのアリ溝４に支柱１から突出した第１の取付部品５を飲み込ませて収納させ、固定ネジ７を第１の格子２のアリ溝４に係合させる。これにより、第１の格子２は支柱１の所定位置に仮止め状態となる。そして、図５（ｂ）のように、固定ネジ７を本締めすればよい。
【００２７】
なお、上述のように第１の格子２を支柱１側に押し付けたとき、第１の格子２の裏面が第１の取付部品５に当ったとしても、固定ネジ７には板バネ１１によるテンションがかかっているため、支柱１の反対側に突出することはない。したがって、第１の格子２のアリ溝４に支柱１から突出した第１の取付部品５を飲み込ませて収納させて本締めする作業を進めることができる。
【００２８】
他の部位の第１の格子２も同様にして他の支柱１に固定ネジ７の本締めによって固定すればよい。固定ネジ７を回転させて締めこむほど、ネジ軸と第１の取付部品５との接触摩擦が大きくなるので、最終的には第１の取付部品５も固定ネジ７と共回りする。ところが、第１の取付部品５の長さはアリ溝４の内側の幅よりも長いから、第１の取付部品５はアリ溝４の上下の内面に係合し、それ以上は回転できない。したがって、図５（ｂ）のように固定ネジ７が締めこまれる。それにしたがって、板バネ１１も支柱１側に押し込まれるから、両側片１１ｂは折畳み状態となる。両側片１１ｂの先端部には凹欠部１３（図４参照）が形成されているから、板バネ１１の両側片１１ｂが折り畳まれたときに凹欠部１３によって固定ネジ７に干渉することはない。また、第１の取付部品５は略平行四辺形状に形成されているから、共回りするときに９０度回転しなくてもアリ溝４の内側に深く飲み込まれた状態で係合することができ、作業を迅速かつ効率的に行うことができる。なお、本締め終了後、板バネ１１の両側部は小さく折り畳まれるが、その弾性による反力は効いているので、板バネ１１が緩むのを防止する効果がある。また、凹欠部１３の両側の先端は折り曲げられているので、安全に取り扱うことができる。
【００２９】
次に、第１の格子２と反対側に第２の格子３を取付けるときは、図５（ｂ）に締め固定ネジ７を本締めすることにより固定ネジ７の頭部7ａに固定された第２の取付部品６にスライドさせて係合させる。すなわち、第２の取付部品６の鍔部１７は円形中央部に段部１６を介して高くなっているので、支柱１の側面から浮き上がっている。そこで、端部の支柱１の第２の取付部品６の鍔部１７に第２の格子３のアリ溝４の端部を合わせて係合させ、その状態を保ちながら第２の格子３を次位の支柱１の第２の取付部品６に向けてスライドさせ、上記アリ溝４の端部を第２の取付部品６の鍔部１７に係合させた後、さらに次の支柱１に向けてスライドさせ、順次同様にして取り付けれていけばよい。
【００３０】
なお、第２の格子３は第２の取付部品６に係合させただけでは長手方向にスライド可能になっているので、例えば、図６に示されるように、第１の格子２と第２の格子３の相対する面を、公知の手段により、Ｚ字形の連結金具２０で連結して補強するのが好ましい。もちろん、他の手段で第２の格子３が長手方向に移動しないようにしてもよい。
【００３１】
また、支柱１の上端にはキャップ２１（図２参照）が被せられる。キャップ２１等の部品の取付ビス２２の頭部を第１又は第２の格子２又は３の裏面で覆うようにすると、外観が損なわれない。
【００３２】
第１の格子２と第２の格子３の断面形状は上述の形態に限定されない。例えば、図７に示されるように、矩形でもよい。また、断面形状の異なる格子を組み合わせて用いてもよい。
【００３３】
なお、第１の取付部品５に板バネ１１は必ずしも必要ない。板バネ１１がなくても第１の格子２を取り付けることはできる。
【００３４】
さらに、格子のキャップは、溝に沿って穴があるため、スライドして背面格子をとりつけることができる。
【００３５】
上述の構成によれば、第１の取付部品５は回転して第１の格子２のアリ溝４に係合し、第２の取付部品６はスライドして第２の格子３のアリ溝４に係合した構成であるから、第１の格子２はそのアリ溝４に第１の取付部品５に引っ掛けて仮止めした後に第１の取付部品５を回転させてアリ溝４に係合させればよい。また、第２の格子３はアリ溝４の一端から第２の取付部品６を取り込んで係合させ、そのままスライドさせればよい。したがって、施工現場での施工性が向上する。
【００３６】
また、支柱１と第１の格子２及び第２の格子３の取付位置は限定されないので、自在柱方式を採用することができる。しかもフェンスの両側には２つの格子２、３の各装飾部ａが現れるので、互いに反対の側に装飾性の高いデザインを確保することができるから外観がよい。
【００３７】
また、固定ネジ７の軸先側の第１の取付部品５と頭部側の第２の取付部品６はいずれも第１の格子２と第２の格子３の裏側のアリ溝４に係合しているので、外部には露出しない。したがって、フェンスの外観が損なわれることがない。
【００３８】
さらに、上記第１の取付部品５も第２の取付部品６も簡単な構造であるから、コストも低く抑えることができる。
【００３９】
さらに、第１の取付部品５は固定ネジ７と螺合するネジ穴８を備えているから、第１の取付部品５は第１の格子２のアリ溝４に係合した後、固定ネジ７を回転させると第１の取付部品５が固定ネジ７とともに回転してアリ溝４に係合するので、第１の格子２の取付作業を簡単且つ迅速に行うことができる。また、第２の取付部品６には鍔部１７が形成されているから、第２の格子３はアリ溝４の一端から第２の取付部品６の鍔部１７を取り込んで係合させ、そのままスライドさせればよい。したがって、施工現場での施工性が向上する。
【００４０】
加えて、第２の取付部品６の鍔部１７の直径は第２の格子３のアリ溝４の内側の高さと略同じに形成されているから、第２の格子３は第２の取付部品６にガタつきなく取り付けることができる。
【００４１】
なお、上述の板バネ１１は、第１の取付部品５に回動自在に取付けられる構成に限定されない。固定ネジ７の軸部に直接に取付ける構成であってもよい。
【００４２】
また、上述の第１の取付部品５の弾性部材はいずれも板バネ１１によって構成されているが、弾性部材は要するに第１の取付部品５が固定ネジ７の軸方向に押し付けられ、この押し付け力が解除されたときに、固定ネジ７を元の位置に押し戻す程度の弾性があればよく、板バネに限定されない。例えば、コイルスプリングでもよく、あるいはゴム、スポンジ等であってもよい。
【００４３】
図８はクロス格子の形態を示す。このクロス格子を構成する２本の格子２、３は支柱１の同じ位置で互いに反対側に設けられている。この場合、図９に示されるように、一方の第１の格子２は上述の要領で取付ければよい。他方の第２の格子３を取付けるときは、固定ネジ７の頭部にＺ字形の第２の取付部品２１の一方の片２１ａを固定する。これにより、他方の片２１ｂは支柱１から浮くので、この他方の片２１ｂに第２の格子３のアリ溝４を係止させてスライドさせればよい。
【００４４】
なお、格子の交差部はＺ字形の連結金具を介して連結固定すればよい。また、支柱１と格子も図１０のように、Ｌ字形の補強金具２３でしっかりと連結固定するのが好ましい。
【００４５】
このように、クロス格子を設置する場合も、迅速に施工することができる。ネジ頭部が外部に露出しない、等の効果を得ることができる。
【符号の説明】
【００４６】
１  支柱
２  第１の格子
３  第２の格子
４  アリ溝
５  第１の取付部品
６  第２の取付部品
７  固定ネジ
【図１】
2010196414.tif 000003
【図２】
2010196414.tif 000004
【図３】
2010196414.tif 000005
【図４】
2010196414.tif 000006
【図５】
2010196414.tif 000007
【図６】
2010196414.tif 000008
【図７】
2010196414.tif 000009
【図８】
2010196414.tif 000010
【図９】
2010196414.tif 000011
【図１０】
2010196414.tif 000012